(57)【要約】  【課題】  ホールソー等によってドアに貫通孔を形成するような犯罪を防止することが可能な穿孔防止装置を提供する。  【解決手段】  本発明に係る穿孔防止装置１は、ドア１０１における外部を向く外面１０３と屋内を向く内面１０４との間に配置され、外面１０３と略平行に配置された多数の球体１０と、これら球体１０を回転自在に保持する保持部２０とを備えている。【選択図】  図２
2005344409.tif 000002
【特許請求の範囲】
【請求項１】
壁の内部に収容され、当該壁において外部を向く外面と略平行に配置された多数の球体と、
前記球体を回転自在に保持する保持手段と
を備えている穿孔防止装置。
【請求項２】
前記保持手段は、前記球体の直径よりも小さい多数の円形貫通孔が形成された支持部材と、当該支持部材から所定間隔をおいて配置される基材とを備え、
前記球体は、前記貫通孔に嵌合した状態で、前記保持部材と基材との間に挟まれている、請求項１に記載の穿孔防止装置。
【請求項３】
前記多数の球体は、１ｍｍ以上２０ｍｍ以下の間隔をおいて配置されている、請求項１または２に記載の穿孔防止装置。
【請求項４】
前記各球体の直径が、２ｍｍ以上２０ｍｍ以下である、請求項１から３のいずれかに記載の穿孔防止装置。
【請求項５】
請求項１から４のいずれかに記載の穿孔防止装置を内蔵する壁。
【発明の詳細な説明】
【技術分野】
【０００１】
本発明は、ホールソー等によって扉の表面に貫通孔を穿設した後に、当該貫通孔を介して開錠するような犯罪を防止する穿孔防止装置及びこれを内蔵する壁に関する。
【背景技術】
【０００２】
近年のピッキング犯罪の多発に伴い、種々の防犯装置が提案されている。例えば、特許文献１のピッキング防止錠では、光が通過する透光孔を鍵に形成しておき、この鍵を鍵穴に差し込んだときに各透光孔に光が通過すれば、開錠するように構成している。この構成によれば、タンブラーピンとドライバーピンとの接触面がシャーライン面と一致したときに開錠するような機械的な構成に加え、光の通過を感知したときに開錠可能となる電気的な構成を備えているため、安全性をさらに向上することができる。
【特許文献１】特開平５−２７２２６２号公報
【発明の開示】
【発明が解決しようとする課題】
【０００３】
ところで、近年は、上記のようなピッキング犯罪よりもさらに暴力的な犯罪が増加しており、例えば、ドアの外面におけるノブの近傍から、ホールソー等の工具によって貫通孔を形成した後、この貫通孔から手を挿入して開錠するような犯罪が発生している。このような犯罪に対しては、特許文献１に示すピッキング防止装置は全く無防備であり、対応することができなかった。
【０００４】
本発明は、上記問題を解決するためになされたものであり、ホールソー等の工具によってドアに貫通孔を形成するような犯罪を防止することが可能な穿孔防止装置及びこれを内蔵する壁を提供することを目的とする。
【課題を解決するための手段】
【０００５】
本発明に係る穿孔防止装置は、上記問題を解決するためになされたものであり、壁の内部に収容され、当該壁の外部を向く外面と略平行に配置された多数の球体と、前記球体を回転自在に保持する保持手段とを備えている。
【０００６】
この構成によれば、壁の内部に、壁外面と略平行に多数の球体を配置し、これら球体を回転自在に保持している。そのため、例えば、ホールソーで扉に貫通孔を形成しようとした場合、ホールソーの刃先の回転に球体が追従して回転するため、ホールソーの切削力が球体に作用するのを防止することができる。その結果、ホールソーが、さらに進入して貫通孔が形成されるのを防ぐことができる。なお、本発明でいう壁とは、ホールソー等の工具で貫通孔を形成される可能性のあるものを指し、ドア、金庫扉の他、これらを囲む外壁など、外部と内部とを遮断する壁に適用することができる。例えば、本発明に係る装置をドアに取り付けた場合、ドアに貫通孔が形成されて、開扉されるような犯罪を未然に防止することができる。
【０００７】
ここで、上記保持手段は、種々の構成をとることができるが、例えば、球体の直径よりも小さい多数の円形貫通孔が形成された支持部材と、当該支持部材から所定間隔をおいて配置される基材とを設け、球体が、貫通孔に嵌合した状態で、支持部材と基材との間に挟まれるように構成することができる。但し、これ以外にも、球体が回転自在に支持されるものであれば、特には限定されない。
【０００８】
ところで、ホールソーが壁の内部に進入したときには、ホールソーの刃先が球体上にのみ当接した状態となることが必要である。例えば、ホールソーが球体に当接せず、その一部が支持部材に当接すると、切削力が支持部材に付与されて貫通孔が形成されるおそれがある。この観点から、球体は、ある程度密に配置されている必要があり、例えば、犯罪によく使用される直径５０ｍｍ以上１００ｍｍ以下のホールソーに対しては、球体を１ｍｍ以上２０ｍｍ以下の間隔をおいて配置することが好ましい。球体の配置間隔を、この程度にしておくと、ホールソーの刃先が球体に当接した状態となり、上記効果を得ることができる。
【０００９】
また、ホールソーの刃先は、平面視における球体の中心にできるだけ近い位置に当接することが好ましく、このような状態になれば、球体がホールソーの回転に追従しやすくなる。この観点から、各球体の直径は２ｍｍ以上２０ｍｍ以下であることが好ましく、５ｍｍ以上１０ｍｍ以下であることがさらに好ましい。
【００１０】
上記穿孔防止装置は、壁の内部に収容して用いるものであるが、上記装置を予め内蔵した壁を提供することもできる。
【発明の効果】
【００１１】
以上の説明から明らかなように、本発明によれば、ホールソーによって壁に貫通孔を形成するような犯罪を未然に防止することができる。
【発明を実施するための最良の形態】
【００１２】
以下、本発明に係る穿孔防止装置を一般住宅のドアに適用した一実施形態について図面を参照しつつ説明する。図１は本実施形態に係る装置が内蔵されるドアの一例を示す斜視図、図２は図１に示すドアの断面図、図３は本実施形態に係る装置の一部正面図である。
【００１３】
図１に示すように、この装置１は、ドア１０１に内蔵されるものであり、ドアノブ１０２の近傍に配置される。より詳細に説明すると、図２に示すように、この装置１は、図示を省略する固定部材によって、ドア１０１において外部を向く外面１０３と、屋内を向く内面１０４との間の内部空間Ｃに配置されている。そして、外面１０３と略平行に分布するように配置された多数の球体１０と、これら球体１０を回転自在に保持する保持部（保持手段）２０とを備えている。球体１０は、表面が平滑な鉄で形成されており、その直径Ｄは２ｍｍ以上２０ｍｍ以下であることが好ましく、５ｍｍ以上１０ｍｍ以下であることがさらに好ましい。
【００１４】
図２に示すように、保持部２０は、板状の支持部材２１と基材２２とが所定間隔をおいて平行に配置されることで構成されている。支持部材２１は、ドア１０１の外面１０３側に配置され、球体１０の直径よりも小さい径Ｈの多数の貫通孔２３が形成されている。そして、各球体１０は、この貫通孔２３に嵌合した状態で、支持部材２１と基材２２との間に挟まれて回転自在に保持されている。このとき、球体１０は、貫通孔２３を介してドア１０１の外面１０２側にやや突出した状態で保持されている。なお、図３に示すように、貫通孔１０の間隔Ｓは、１ｍｍ以上２０ｍｍ以下であることが好ましく、５ｍｍ以上１５ｍｍ以下であることが好ましい。ここでいう貫通孔１０の間隔Ｓとは、隣接する貫通孔１０における中心間の距離から貫通孔１０の直径Ｈを引いた長さである。また、支持部材２１と基材２２との間の間隔ｔは、球体１０を保持できるように、球体１０の直径Ｄよりも小さくする必要がある。
【００１５】
次に、この穿孔防止装置の動作について説明する。上述したように、近年では、ホールソーと呼ばれる円形の刃物を回転させ、これによってドアに貫通孔を形成する犯罪が多発している。このようなホールソーを使用して、本実施形態に係るドアに貫通孔を形成しようとすると、まず、ホールソーＡの刃先先端は、図２に示すように、ドアの外面１０３を貫通した後、穿孔防止装置の球体１０に達する。ここで、球体１０は回転自在に保持されているため、ホールソーＡが球体１０からさらに進入しようとすると、ホールソーＡの回転に伴って球体１０も回転する。すなわち、ホールソーＡと球体１０との回転が同期するようになるため、ホールソーＡは球体１０に対して切削力を付与できなくなる。そのため、ホールソーＡはこれ以上ドア１０１の内部に進入できず、ドア１０１に貫通孔が形成されるのを防止することができる。
【００１６】
以上のように、本実施形態によれば、ドア１０１内側の内部空間に、ドア外面１０３と平行に多数の球体１０を配置し、これら球体１０を回転自在に保持している。そのため、上述したように、ホールソーＡでドア１０１に貫通孔を形成しようとした場合、ホールソーＡの刃先Ａ１の回転に球体１０が追従して回転するため、ホールソーＡが前進しドア１０１に貫通孔が形成されるのを防止することができる。
【００１７】
以上、本発明の一実施形態について説明したが、本発明はこれに限定されるものではなく、その趣旨を逸脱しない限りにおいて種々の変更が可能である。例えば、上記実施形態では、支持部材２１に貫通孔２３を形成しているが、基材２２側に球体１０を支持する貫通孔や曲面状の凹部を形成することで、球体１０を回転しやすくすることもできる。また、球体１０は、上記のような鉄以外で形成してもよく、ホールソーによって破断しないような硬度を有するものであれば、例えばガラス玉等を用いることもできる。また、上記説明では、本発明に係る装置をドアノブの近傍に配置しているが、ドア全面に配置することもできる。
【００１８】
上記実施形態では、ドア１０１の内部空間に穿孔防止装置を配置しているが、予め穿孔防止装置が内蔵されたドアを構成してもよい。この場合、例えば、ドアの内面１０４と基材２２とを一体化することができる。
【００１９】
また、上記実施形態では、本発明を一般住宅のドアに適用した例について説明したが、これに限定されるものではなく、ホールソー等の工具で貫通孔を形成される可能性のある金庫扉、金庫の構造外壁など、外部と内部とを遮断する壁に適用することができる。また、これに起因して、扉の穿孔を防止できることから、細菌類等の外部に漏れてはならない危険な物質を安全に保管することができる。その結果、収納庫の安全性を飛躍的に向上することができる。
【図面の簡単な説明】
【００２０】
【図１】本発明に係る穿孔防止装置が取り付けられるドア及びその周辺の斜視図である。
【図２】本発明の穿孔防止装置の一実施形態を示す断面図である。
【図３】図１に係る穿孔防止装置の一部正面図である。
【符号の説明】
【００２１】
１      穿孔防止装置
１０    球体
２０    保持部（保持手段）
２１    支持部材
２２    基材
２３    貫通孔
１０１  ドア
１０３  ドア外面
【図１】
2005344409.tif 000003
【図２】
2005344409.tif 000004
【図３】
2005344409.tif 000005